(57)【要約】      （修正有）【課題】被梱包体の厚みの大小に対応することができる梱包用発送ケースを提供する。【解決手段】梱包用発送ケースＫは、被梱包体の厚みが小の場合は、第１の係止部２１を第１の被係止部Ｒ４１に、第２の係止部２２を第２の被係止部Ｒ２１に、第３の係止部２３を第３の被係止部Ｒ２１（兼用）に、第４の係止部２４を第４の被係止部Ｒ４１（兼用）に、それぞれ係止させ、被梱包体の厚みが大の場合は、第１の係止部２１を第１’の被係止部Ｒ４１’に、第２の係止部２２を第２’の被係止部Ｒ２１’に、第３の係止部２３を第３’の被係止部Ｒ２１’１に、第４の係止部２４を第４’の被係止部Ｒ４１’１に、それぞれ係止させて、被梱包体の厚みの大小に対応することができるものである。【選択図】図１
0003231441.tif 000002
【実用新案登録請求の範囲】
【請求項１】
四角形ＡＢＣＤの正面部と、
この正面部の一辺ＡＢに接続される第１の側面部と、
前記正面部の一辺ＢＣに接続される第２の側面部と、
前記正面部の一辺ＣＤに接続される第３の側面部と、
前記正面部の一辺ＤＡに接続される第４の側面部と、
前記第１の側面部、前記第２の側面部、前記第３の側面部及び前記第４の側面部で形成された開口部を開閉する蓋部とを備え、
この蓋部は、第１の蓋部と第２の蓋部を有し、
前記第１の蓋部は、前記第２の側面部に接続され、
前記第２の蓋部は、前記第４の側面部に接続され、
前記第１の側面部に前記正面部の一辺ＡＢに平行であると共に、前記正面部の一辺ＡＢからｈの寸法にあるスジ押し加工した第１の折部が設けられ、
前記第１の側面部に前記正面部の一辺ＡＢに平行であると共に、前記正面部の一辺ＡＢからＨ（Ｈ＞ｈ）の寸法にあるスジ押し加工した第１’の折部が設けられ、
前記第２の側面部に前記正面部の一辺ＢＣに平行であると共に、前記正面部の一辺ＢＣからｈの寸法にあるスジ押し加工した第２の折部が設けられ、
前記第２の側面部に前記正面部の一辺ＢＣに平行であると共に、前記正面部の一辺ＢＣからＨ（Ｈ＞ｈ）の寸法にあるスジ押し加工した第２’の折部が設けられ、
前記第３の側面部に前記正面部の一辺ＣＤに平行であると共に、前記正面部の一辺ＣＤからｈの寸法にあるスジ押し加工した第３の折部が設けられ、
前記第３の側面部に前記正面部の一辺ＣＤに平行であると共に、前記正面部の一辺ＣＤからＨ（Ｈ＞ｈ）の寸法にあるスジ押し加工した第３’の折部が設けられ、
前記第４の側面部に前記正面部の一辺ＤＡに平行であると共に、前記正面部の一辺ＤＡからｈの寸法にあるスジ押し加工した第４の折部が設けられ、
前記第４の側面部に前記正面部の一辺ＤＡに平行であると共に、前記正面部の一辺ＤＡからＨ（Ｈ＞ｈ）の寸法にあるスジ押し加工した第４’の折部が設けられ、
前記第１の折部に第１の被係止部が、前記第１’の折部に第１’の被係止部が、前記第２の折部に第２の被係止部が、前記第２’の折部に第２’の被係止部が、それぞれ設けられ、
前記第１の被係止部又は第１’の被係止部に係止する第１の係止部を前記第１の蓋板に、
前記第２の被係止部又は第２’の被係止部に係止する第２の係止部を前記第１の蓋板に、
前記第３の被係止部又は第３’の被係止部に係止する第３の係止部を前記第２の蓋板に、
前記第４の被係止部又は第４’の被係止部に係止する第４の係止部を前記第２の蓋板に、それぞれ設けている
ことを特徴とする梱包用発送ケース。
【請求項２】
第１の側面部又は第４の側面部に接続され、前記第１の側面部と前記第４の側面部の隙間を覆う第１のカバーと、
第１の側面部又は第２の側面部に接続され、前記第１の側面部と前記第２の側面部の隙間を覆う第２のカバーと、
前記第２の側面部又は第３の側面部に接続され、前記第２の側面部と前記第３の側面部の隙間を覆う第３のカバーと、
前記第３の側面部又は第４の側面部に接続され、前記第３の側面部と前記第４の側面部の隙間を覆う第４のカバーと、
を備えていることを特徴とする請求項１記載の梱包用発送ケース。
【請求項３】
第１の側面部に正面部の一辺ＡＢに平行であると共に、前記正面部の一辺ＡＢからＭ（Ｍ＞Ｈ）の寸法にあるスジ押し加工した第１”の折部が設けられ、
第２の側面部に正面部の一辺ＢＣに平行であると共に、前記正面部の一辺ＢＣからＭの寸法にあるスジ押し加工した第２”の折部が設けられ、
第３の側面部に前記正面部の一辺ＣＤに平行であると共に、前記正面部の一辺ＣＤからＭの寸法にあるスジ押し加工した第３”の折部が設けられ、
前記第４の側面部に前記正面部の一辺ＤＡに平行であると共に、前記正面部の一辺ＤＡからＭの寸法にあるミシン加工又はスジ押し加工した第４”の折部が設けられ、
第４の折部に第１”の被係止部と第４”の被係止部が、
第２の折部に第２”’の被係止部と第３”の被係止部が、それぞれ設けられ、
第１の係止部が第１の被係止部に、第２の係止部が第２の被係止部に、
第３の係止部が第３の被係止部に、第４の係止部が第４の被係止部に、それぞれ係止した状態の被梱包体の厚みｈとすれば、
前記第１の係止部が第１”の被係止部に、前記第２の係止部が第２”の被係止部に、前記第３の係止部が第３”の被係止部に、前記第４の係止部が第４”の被係止部に、それぞれ係止した状態の前記被梱包体の厚みＭとすれば、
ｈ＜Ｍの関係にある
ことを特徴とする請求項１記載の梱包用発送ケース。
【考案の詳細な説明】
【技術分野】
【０００１】
本考案は、梱包用発送ケースに係り、特に、被梱包体の厚みの大小に対応することができる梱包用発送ケースに関する。
【背景技術】
【０００２】
従来、内部に荷物を収納し、送り状が貼付された状態で発送される宅配便用発送ケースがある（例えば、特許文献１参照）。
この宅配便用発送ケースは、開口部を有したケース本体と、このケース本体の開口部を閉塞する蓋片部と、この蓋片部に形成された第１の係合部と、
前記ケース本体に形成され前記蓋片部が前記ケース本体の開口部を閉塞した状態で前記第１の係合部にほぼ面状をなして係合する第２の係合部とを有したものである。
【先行技術文献】
【特許文献】
【０００３】
【特許文献１】実開平６−６５２２２
【考案の概要】
【考案が解決しようとする課題】
【０００４】
しかしながら、上記宅配便用発送ケースにあっては、内部に入れる荷物の厚みが小さいにも関わらず、上記宅配便用発送ケースの厚みの大きさが可変しないため、荷物が移動し易いと共に、例えば、縦、横、高さの寸法が小さくできず、発送コストも高くなるという問題点が生じた。
【０００５】
本考案は、上記の問題点を考慮してなされた梱包用発送ケースを提供することにある。
【課題を解決するための手段】
【０００６】
請求項１記載の梱包用発送ケースは、四角形ＡＢＣＤの正面部と、この正面部の一辺ＡＢに接続される第１の側面部と、前記正面部の一辺ＢＣに接続される第２の側面部と、前記正面部の一辺ＣＤに接続される第３の側面部と、前記正面部の一辺ＤＡに接続される第４の側面部と、前記第１の側面部、前記第２の側面部、前記第３の側面部及び前記第４の側面部で形成された開口部を開閉する蓋部とを備え、この蓋部は、第１の蓋部と第２の蓋部を有し、前記第１の蓋部は、前記第２の側面部に接続され、前記第２の蓋部は、前記第４の側面部に接続され、前記第１の側面部に前記正面部の一辺ＡＢに平行であると共に、前記正面部の一辺ＡＢからｈの寸法にあるスジ押し加工した第１の折部が設けられ、前記第１の側面部に前記正面部の一辺ＡＢに平行であると共に、前記正面部の一辺ＡＢからＨ（Ｈ＞ｈ）の寸法にあるスジ押し加工した第１’の折部が設けられ、前記第２の側面部に前記正面部の一辺ＢＣに平行であると共に、前記正面部の一辺ＢＣからｈの寸法にあるスジ押し加工した第２の折部が設けられ、前記第２の側面部に前記正面部の一辺ＢＣに平行であると共に、前記正面部の一辺ＢＣからＨ（Ｈ＞ｈ）の寸法にあるスジ押し加工した第２’の折部が設けられ、前記第３の側面部に前記正面部の一辺ＣＤに平行であると共に、前記正面部の一辺ＣＤからｈの寸法にあるスジ押し加工した第３の折部が設けられ、前記第３の側面部に前記正面部の一辺ＣＤに平行であると共に、前記正面部の一辺ＣＤからＨ（Ｈ＞ｈ）の寸法にあるスジ押し加工した第３’の折部が設けられ、前記第４の側面部に前記正面部の一辺ＤＡに平行であると共に、前記正面部の一辺ＤＡからｈの寸法にあるスジ押し加工した第４の折部が設けられ、前記第４の側面部に前記正面部の一辺ＤＡに平行であると共に、前記正面部の一辺ＤＡからＨ（Ｈ＞ｈ）の寸法にあるスジ押し加工した第４’の折部が設けられ、前記第１の折部に第１の被係止部が、前記第１’の折部に第１’の被係止部が、前記第２の折部に第２の被係止部が、前記第２’の折部に第２’の被係止部が、それぞれ設けられ、前記第１の被係止部又は第１’の被係止部に係止する第１の係止部を前記第１の蓋板に、前記第２の被係止部又は第２’の被係止部に係止する第２の係止部を前記第１の蓋板に、前記第３の被係止部又は第３’の被係止部に係止する第３の係止部を前記第２の蓋板に、前記第４の被係止部又は第４’の被係止部に係止する第４の係止部を前記第２の蓋板に、それぞれ設けているものである。
【０００７】
また、請求項２記載の梱包用発送ケースは、請求項１記載の梱包用発送ケースにおいて、第１の側面部又は第４の側面部に接続され、前記第１の側面部と前記第４の側面部の隙間を覆う第１のカバーと、第１の側面部又は第２の側面部に接続され、前記第１の側面部と前記第２の側面部の隙間を覆う第２のカバーと、前記第２の側面部又は第３の側面部に接続され、前記第２の側面部と前記第３の側面部の隙間を覆う第３のカバーと、前記第３の側面部又は第４の側面部に接続され、前記第３の側面部と前記第４の側面部の隙間を覆う第４のカバーと、を備えているものである。
【０００８】
また、請求項３記載の梱包用発送ケースは、請求項１記載の梱包用発送ケースにおいて、第１の側面部に正面部の一辺ＡＢに平行であると共に、前記正面部の一辺ＡＢからＭ（Ｍ＞Ｈ）の寸法にあるスジ押し加工した第１”の折部が設けられ、第２の側面部に正面部の一辺ＢＣに平行であると共に、前記正面部の一辺ＢＣからＭの寸法にあるスジ押し加工した第２”の折部が設けられ、第３の側面部に前記正面部の一辺ＣＤに平行であると共に、前記正面部の一辺ＣＤからＭの寸法にあるスジ押し加工した第３”の折部が設けられ、前記第４の側面部に前記正面部の一辺ＤＡに平行であると共に、前記正面部の一辺ＤＡからＭの寸法にあるスジ押し加工した第４”の折部が設けられ、第４の折部に第１”の被係止部と第４”の被係止部が、第２の折部に第２”’の被係止部と第３”の被係止部が、それぞれ設けられ、第１の係止部が第１の被係止部に、第２の係止部が第２の被係止部に、第３の係止部が第３の被係止部に、第４の係止部が第４の被係止部に、それぞれ係止した状態の被梱包体の厚みｈとすれば、前記第１の係止部が第１”の被係止部に、前記第２の係止部が第２”の被係止部に、前記第３の係止部が第３”の被係止部に、前記第４の係止部が第４”の被係止部に、それぞれ係止した状態の前記被梱包体の厚みＭとすれば、ｈ＜Ｍの関係にあるものである。
【考案の効果】
【０００９】
請求項1記載の梱包用発送ケースによれば、上述した請求項１記載の考案の効果に加え、被梱包体の厚みがある小の場合は、第１の係止部を第１の被係止部に、第２の係止部を第２の被係止部に、第３の係止部を第３の被係止部に、第４の係止部を第４の被係止部に、それぞれ係止させ、被梱包体の厚みがある大の場合は、第１の係止部を第１’の被係止部に、第２の係止部を第２’の被係止部に、第３の係止部を第３’の被係止部に、第４の係止部を第４’の被係止部に、それぞれ係止させて、被梱包体の厚みの大小に対応することができる。
【００１０】
また、請求項２記載の梱包用発送ケースによれば、上述した請求項１記載の考案の効果に加え、第１の側面部又は第４の側面部に接続され、前記第１の側面部と前記第４の側面部の隙間を覆う第１のカバーと、第１の側面部又は第２の側面部に接続され、前記第１の側面部と前記第２の側面部の隙間を覆う第２のカバーと、前記第２の側面部又は第３の側面部に接続され、前記第２の側面部と前記第３の側面部の隙間を覆う第３のカバーと、前記第３の側面部又は第４の側面部に接続され、前記第３の側面部と前記第４の側面部の隙間を覆う第４のカバーと、を備えているため、梱包用発送ケースの４つの隙間を少なくすることができる。
【００１１】
また、請求項３記載の梱包用発送ケースによれば、上述した請求項１記載の考案の効果に加え、被梱包体の厚みの大中小の３段階に対応することができる。
【図面の簡単な説明】
【００１２】
【図１】図１は、本考案の一実施例の梱包用発送ケースを展開して示す展開図である。
【図２】図２は、図１の梱包用発送ケースを組み立て、第１の蓋部を開けた状態を示す写真である。
【図３】図３は、図１の梱包用発送ケースの厚みを大とする場合の第１の蓋部を閉めた状態を示す写真である。
【図４】図４は、図３の第１、第２の蓋部を開けた状態を示す写真である。
【図５】図５（ａ）は、図１の梱包用発送ケースの厚みを大とする場合の第２の側面部を示した写真であり、図５（ｂ）は、図５（ａ）の第１、第２の蓋部を閉めた状態の写真であり、図５（ｃ）は、図５（ｂ）の一部を示した写真であり、図５（ｄ）は、図１の梱包用発送ケースの厚みを小とする場合の第２の側面部を示した写真であり、図５（ｅ）は、図５（ｄ）の第１、第２の蓋部を閉めた状態の写真である。
【図６】図６（ａ）は、図１の梱包用発送ケースの第２の側面部を示した概略的図であり、図６（ｂ）は、図６（ａ）の一部を示した概略的図であり、図６（ｃ）は、図６（ａ）の一部を示した概略的図であり、図６（ｄ）は、図６（ａ）の被係止部に係止する係止部を有する第１の蓋部の一部を示した概略的図であり、図６（ｅ）は、図６（ｄ）の一部を示した概略的図であり、図６（ｆ）は、図６（ｅ）の係止部を図６（ｂ）の被係止部に係止する前を示した概略的図であり、図６（ｇ）は、図６（ｅ）の係止部を図６（ｂ）の被係止部に係止した状態を示した概略的図である。
【図７】図７は、図１の梱包用発送ケースの厚みを小とする場合の第１、第２の蓋部を閉めた状態を示す写真である。
【図８】図８は、図７の第１、第２の蓋部を開けた状態を示す写真である。
【考案を実施するための形態】
【００１３】
本考案の一実施例の梱包用発送ケースを図１乃至図８を参照して説明する。
【００１４】
図１に示すＫは梱包用発送ケースで、梱包用発送ケースＫは、小さな荷物の発送に使用するもので、例えば、ゆうパケットに好適なものである。
梱包用発送ケースＫは、四角形ＡＢＣＤの正面部１０、この正面部１０の一辺ＡＢに接続される第１の側面部１１、正面部１０の一辺ＢＣに接続される第２の側面部１２、正面部１０の一辺ＣＤに接続される第３の側面部１３、正面部１０の一辺ＤＡに接続される第４の側面部１４を有している。
【００１５】
図２に示す１５は、第１の側面部１１、第２の側面部１２、第３の側面部１３及び第４の側面部１４で形成された開口部で、この開口部１５は、蓋部１６で開閉される。この蓋部１６は、第１の蓋部１６Ａと第２の蓋部１６Ｂを有し、第１の蓋部１６Ａは、第１の側面部１１に接続され、第２の蓋部１６Ｂは、第３の側面部１３に接続されている。
【００１６】
そして、図１に示すＲ１はスジ押し加工した第１の折部で、第１の折部Ｒ１は、第１の側面部１１に設けられ、正面部１０の一辺ＡＢに平行であると共に、正面部１０の一辺ＡＢからｈ（例えば、１０ｍｍ）の寸法にある。
また、Ｒ１’はスジ押し加工した第１’の折部で、第１’の折部Ｒ１’は、第１の側面部１１に設けられ、正面部１０の一辺ＡＢに平行であると共に、正面部１０の一辺ＡＢからＨ（Ｈ＞ｈ  Ｈは、例えば、２０ｍｍ）の寸法にある。
また、Ｒ１”はスジ押し加工した第１”の折部で、第１”の折部Ｒ１”は、第１の側面部１１に設けられ、正面部１０の一辺ＡＢに平行であると共に、正面部１０の一辺ＡＢからＭ（Ｍ＞Ｈ  Ｍは、例えば、３０ｍｍ）の寸法にある。
【００１７】
また、図１に示すＲ２はスジ押し加工した第２の折部で、第２の折部Ｒ２は、第２の側面部１２に設けられ、正面部１０の一辺ＢＣに平行であると共に、正面部１０の一辺ＢＣからｈ（例えば、１０ｍｍ）の寸法にある。
また、Ｒ２’はスジ押し加工した第２’の折部で、第２’の折部Ｒ２’は、第２の側面部１２に設けられ、正面部１０の一辺ＢＣに平行であると共に、正面部１０の一辺ＢＣからＨ（Ｈ＞ｈ  Ｈは、例えば、２０ｍｍ）の寸法にある。
また、Ｒ２”はスジ押し加工した第２”の折部で、第２”の折部Ｒ２”は、第１の側面部１１に設けられ、正面部１０の一辺ＢＣに平行であると共に、正面部１０の一辺ＢＣからＭ（Ｍ＞Ｈ  Ｍは、例えば、３０ｍｍ）の寸法にある。
【００１８】
また、図１に示すＲ３はスジ押し加工した第３の折部で、第３の折部Ｒ３は、第３の側面部１３に設けられ、正面部１０の一辺ＣＤに平行であると共に、正面部１０の一辺ＣＤからｈ（例えば、１０ｍｍ）の寸法にある。
また、Ｒ３’はスジ押し加工した第３’の折部で、第３’の折部Ｒ３’は、第３の側面部１３に設けられ、正面部１０の一辺ＣＤに平行であると共に、正面部１０の一辺ＣＤからＨ（Ｈ＞ｈ  Ｈは、例えば、２０ｍｍ）の寸法にある。
また、Ｒ３”はスジ押し加工した第３”の折部で、第３”の折部Ｒ３”は、第３の側面部１３に設けられ、正面部１０の一辺ＣＤに平行であると共に、正面部１０の一辺ＣＤからＭ（Ｍ＞Ｈ  Ｍは、例えば、３０ｍｍ）の寸法にある。
【００１９】
また、図１に示すＲ４はスジ押し加工した第４の折部で、第４の折部Ｒ４は、第４の側面部１４に設けられ、正面部１０の一辺ＤＡに平行であると共に、正面部１０の一辺ＤＡからｈ（例えば、１０ｍｍ）の寸法にある。
また、Ｒ４’はスジ押し加工した第４’の折部で、第４’の折部Ｒ４’は、第４の側面部１４に設けられ、正面部１０の一辺ＤＡに平行であると共に、正面部１０の一辺ＤＡからＨ（Ｈ＞ｈ  Ｈは、例えば、２０ｍｍ）の寸法にある。
また、Ｒ４”はスジ押し加工した第４”の折部で、第４”の折部Ｒ４”は、第４の側面部１４に設けられ、正面部１０の一辺ＤＡに平行であると共に、正面部１０の一辺ＤＡからＭ（Ｍ＞Ｈ  Ｍは、例えば、３０ｍｍ）の寸法にある。
【００２０】
また、第４の折部Ｒ４の折り目近傍に第４の折部Ｒ４の折り目に沿うように第１の被係止部（例えば、スリットの切れ目）Ｒ４１が、第４’の折部Ｒ４’の折り目近傍に第４の折部Ｒ４の折り目に沿うように第１’の被係止部（例えば、スリットの切れ目）Ｒ４１’、第４’の被係止部（例えば、スリットの切れ目）Ｒ４１’１が、第４”の折部Ｒ４”の折り目近傍に第４の折部Ｒ４”の折り目に沿うように第１”の被係止部（例えば、スリットの切れ目）Ｒ４１”、第４”の被係止部（例えば、スリットの切れ目）Ｒ４１”１が、
また、第２の折部Ｒ２の折り目近傍に第２の折部Ｒ２の折り目に沿うように第２の被係止部（例えば、スリットの切れ目）Ｒ２１が、第２’の折部Ｒ２’の折り目近傍に第２’の折部Ｒ２’の折り目に沿うように第２’の被係止部（例えば、スリットの切れ目）Ｒ２１’、第３’の被係止部（例えば、スリットの切れ目）Ｒ２１’１が、第２”の折部（例えば、スリットの切れ目）Ｒ２”の折り目近傍に第２の折部Ｒ２”の折り目に沿うように第２”の被係止部（例えば、スリットの切れ目）Ｒ２１”、第３”の被係止部（例えば、スリットの切れ目）Ｒ２１”１が、それぞれ設けられている。
【００２１】
そして、図１に示す２１は、第１の蓋板１６Ａに設けられた第１の係止部で、第１の係止部２１は、第１の被係止部Ｒ４１又は第１’の被係止部Ｒ４１’又は第１”の被係止部Ｒ４１”に係止する。
【００２２】
２２は、第１の蓋板１６Ａに設けられた第２の係止部で、第２の係止部２２は、第２の被係止部Ｒ２１又は第２’の被係止部Ｒ２１’又は第２”の被係止部Ｒ２１”に係止する。
【００２３】
２３は、第２の蓋板１６Ｂに設けられた第３の係止部で、第３の係止部２３は、第３の被係止部Ｒ２１（Ｒ２１は、第２の被係止部と第３の被係止部を兼用しているため、長孔となっている。）又は第３’の被係止部Ｒ２１’１又は第３”の被係止部Ｒ２１”１に係止する。
【００２４】
２４は、第１の蓋板１６Ｂに設けられた第４の係止部で、第４の係止部２４は、第４の被係止部Ｒ４１（Ｒ４１は、第１の被係止部と第４の被係止部を兼用しているため、長孔となっている。）又は第４’の被係止部Ｒ４１’１又は第４”の被係止部Ｒ４１”１に係止する。
【００２５】
上述した梱包用発送ケースＫによれば、図示しない被梱包体の厚みが小の場合は、第１の係止部２１を第１の被係止部Ｒ４１に、第２の係止部２２を第２の被係止部Ｒ２１に、第３の係止部２３を第３の被係止部Ｒ２１に、第４の係止部２４を第４の被係止部Ｒ４１に、それぞれ係止させ［図５（ｅ）図７］、
図示しない被梱包体の厚みが中の場合は、第１の係止部２１を第１’の被係止部Ｒ４１’に、第２の係止部２２を第２’の被係止部Ｒ２１’に、第３の係止部２３を第３’の被係止部Ｒ２１’１に、第４の係止部２４を第４’の被係止部Ｒ４１’１に、
図示しない被梱包体の厚みが大の場合は、第１の係止部２１を第１”の被係止部Ｒ４１”に、第２の係止部２２を第２”の被係止部Ｒ２１”に、第３の係止部２３を第３’の被係止部Ｒ２１”１に、第４の係止部２４を第４”の被係止部Ｒ４１”１に、それぞれ係止させ［図２  図３  図５（ｃ）］、
図示しない被梱包体の厚みの大中小に対応することができる。
【００２６】
なお、本実施例においては、被梱包体の厚みの大中小に対応するよう３段階としたが、本願考案はこれに限らず、被梱包体の厚みの大小に対応するよう２段階でも良いし、場合によっては、４段階以上設けるようにしても良い。
【００２７】
また、図１に示す３１は第１のカバーで、第１のカバー３１は、第１の側面部１１又は第４の側面部１４に接続され、第１の側面部１１と第４の側面部１４の隙間を覆うものである。第１のカバー３１が第１の側面部１１に接続される場合は、図１のＡＡ’が接続され、ＡＡ”が非接続されるものであり、第１のカバー３１が第４の側面部１４に接続される場合は、図１のＡＡ’が非接続され、ＡＡ”が接続される。
【００２８】
３２は第２のカバーで、第２のカバー３２は、第１の側面部１１又は第２の側面部１２に接続され、第１の側面部１１と第２の側面部１２の隙間を覆うものである。第２のカバー３２が第１の側面部１１に接続される場合は、図１のＢＢ’が接続され、ＢＢ”が非接続されるものであり、第２のカバー３２が第２の側面部１２に接続される場合は、図１のＢＢ’が非接続され、ＢＢ”が接続される。
【００２９】
３３は第３のカバーで、第３のカバー３３は、第２の側面部１２又は第３の側面部１３に接続され、第２の側面部１２と第３の側面部１３の隙間を覆うものである。第３のカバー３３が第２の側面部１２に接続される場合は、図１のＣＣ’が接続され、ＣＣ”が非接続されるものであり、第３のカバー３３が第３の側面部１３に接続される場合は、図１のＣＣ’が非接続され、ＣＣ”が接続される。
【００３０】
３４は第４のカバーで、第４のカバー３４は、第３の側面部１３又は第４の側面部１４に接続され、第３の側面部１３と第４の側面部１４の隙間を覆うものである。第４のカバー３４が第３の側面部１３に接続される場合は、図１のＤＤ’が接続され、ＤＤ”が非接続されるものであり、第４のカバー３４が第４の側面部１４に接続される場合は、図１のＤＤ’が非接続され、ＤＤ”が接続される。
【００３１】
これら第１のカバー３１、第２のカバー３２、第３のカバー３３、第４のカバー３４により、梱包用発送ケースＫの４つの隙間を少なくすることができる。
【符号の説明】
【００３２】
Ｋ            梱包用発送ケース
２１          第１の係止部 
２２          第２の係止部
２３          第３の係止部
２４          第４の係止部
Ｒ４１        第１の被係止部(第４の被係止部)
Ｒ２１        第２の被係止部(第３の被係止部)
Ｒ４１’      第１’の被係止部
Ｒ２１’      第２’の被係止部                    
Ｒ２１’１    第３’の被係止部
Ｒ４１’１    第４’の被係止部
【図１】
0003231441.tif 000003
【図２】
0003231441.tif 000004
【図３】
0003231441.tif 000005
【図４】
0003231441.tif 000006
【図５】
0003231441.tif 000007
【図６】
0003231441.tif 000008
【図７】
0003231441.tif 000009
【図８】
0003231441.tif 000010
【手続補正書】
【提出日】令和3年1月27日(2021.1.27)
【手続補正１】
【補正対象書類名】実用新案登録請求の範囲
【補正対象項目名】全文
【補正方法】変更
【補正の内容】
【実用新案登録請求の範囲】
【請求項１】
四角形ＡＢＣＤの正面部と、
この正面部の一辺ＡＢに接続される第１の側面部と、
前記正面部の一辺ＢＣに接続される第２の側面部と、
前記正面部の一辺ＣＤに接続される第３の側面部と、
前記正面部の一辺ＤＡに接続される第４の側面部と、
前記第１の側面部、前記第２の側面部、前記第３の側面部及び前記第４の側面部で形成された開口部を開閉する蓋部とを備え、
この蓋部は、第１の蓋部と第２の蓋部を有し、
前記第１の蓋部は、前記第１の側面部に接続され、
前記第２の蓋部は、前記第３の側面部に接続され、
前記第１の側面部に前記正面部の一辺ＡＢに平行であると共に、前記正面部の一辺ＡＢからｈの寸法にあるスジ押し加工した第１の折部が設けられ、
前記第１の側面部に前記正面部の一辺ＡＢに平行であると共に、前記正面部の一辺ＡＢからＨ（Ｈ＞ｈ）の寸法にあるスジ押し加工した第１’の折部が設けられ、
前記第２の側面部に前記正面部の一辺ＢＣに平行であると共に、前記正面部の一辺ＢＣからｈの寸法にあるスジ押し加工した第２の折部が設けられ、
前記第２の側面部に前記正面部の一辺ＢＣに平行であると共に、前記正面部の一辺ＢＣからＨ（Ｈ＞ｈ）の寸法にあるスジ押し加工した第２’の折部が設けられ、
前記第３の側面部に前記正面部の一辺ＣＤに平行であると共に、前記正面部の一辺ＣＤからｈの寸法にあるスジ押し加工した第３の折部が設けられ、
前記第３の側面部に前記正面部の一辺ＣＤに平行であると共に、前記正面部の一辺ＣＤからＨ（Ｈ＞ｈ）の寸法にあるスジ押し加工した第３’の折部が設けられ、
前記第４の側面部に前記正面部の一辺ＤＡに平行であると共に、前記正面部の一辺ＤＡからｈの寸法にあるスジ押し加工した第４の折部が設けられ、
前記第４の側面部に前記正面部の一辺ＤＡに平行であると共に、前記正面部の一辺ＤＡからＨ（Ｈ＞ｈ）の寸法にあるスジ押し加工した第４’の折部が設けられ、
前記第４の折部の折り目近傍に第１の被係止部、第４の被係止部が、前記第４’の折部の折り目近傍に第１’の被係止部、第４’の被係止部が、前記第２の折部の折部の折り目近傍に第２の被係止部、第３の被係止部が、前記第２’の折部の折り目近傍に第２’の被係止部、第３’の被係止部が、それぞれ設けられ、
前記第１の被係止部又は前記第１’の被係止部に係止する第１の係止部を前記第１の蓋部に、
前記第２の被係止部又は前記第２’の被係止部に係止する第２の係止部を前記第１の蓋部に、
前記第３の被係止部又は前記第３’の被係止部に係止する第３の係止部を前記第２の蓋部に、
前記第４の被係止部又は前記第４’の被係止部に係止する第４の係止部を前記第２の蓋部に、それぞれ設けている
ことを特徴とする梱包用発送ケース。
【請求項２】
第１の側面部又は第４の側面部に接続され、前記第１の側面部と前記第４の側面部の隙間を覆う第１のカバーと、
第１の側面部又は第２の側面部に接続され、前記第１の側面部と前記第２の側面部の隙間を覆う第２のカバーと、
前記第２の側面部又は第３の側面部に接続され、前記第２の側面部と前記第３の側面部の隙間を覆う第３のカバーと、
前記第３の側面部又は第４の側面部に接続され、前記第３の側面部と前記第４の側面部の隙間を覆う第４のカバーと、
を備えていることを特徴とする請求項１記載の梱包用発送ケース。
【請求項３】
第１の側面部に正面部の一辺ＡＢに平行であると共に、前記正面部の一辺ＡＢからＭ（Ｍ＞Ｈ）の寸法にあるスジ押し加工した第１”の折部が設けられ、
第２の側面部に正面部の一辺ＢＣに平行であると共に、前記正面部の一辺ＢＣからＭの寸法にあるスジ押し加工した第２”の折部が設けられ、
第３の側面部に前記正面部の一辺ＣＤに平行であると共に、前記正面部の一辺ＣＤからＭの寸法にあるスジ押し加工した第３”の折部が設けられ、
前記第４の側面部に前記正面部の一辺ＤＡに平行であると共に、前記正面部の一辺ＤＡからＭの寸法にあるミシン加工又はスジ押し加工した第４”の折部が設けられ、
第４の折部の折り目近傍に第１”の被係止部と第４”の被係止部が、
第２の折部の折り目近傍に第２”の被係止部と第３”の被係止部が、それぞれ設けられ、
第１の係止部が第１の被係止部に、第２の係止部が第２の被係止部に、
第３の係止部が第３の被係止部に、第４の係止部が第４の被係止部に、それぞれ係止した状態の被梱包体の厚みｈとすれば、
前記第１の係止部が前記第１”の被係止部に、前記第２の係止部が前記第２”の被係止部に、前記第３の係止部が前記第３”の被係止部に、前記第４の係止部が前記第４”の被係止部に、それぞれ係止した状態の前記被梱包体の厚みＭとすれば、
ｈ＜Ｍの関係にある
ことを特徴とする請求項１記載の梱包用発送ケース。
【手続補正２】
【補正対象書類名】明細書
【補正対象項目名】０００６
【補正方法】変更
【補正の内容】
【０００６】
請求項１記載の梱包用発送ケースは、四角形ＡＢＣＤの正面部と、この正面部の一辺ＡＢに接続される第１の側面部と、前記正面部の一辺ＢＣに接続される第２の側面部と、前記正面部の一辺ＣＤに接続される第３の側面部と、前記正面部の一辺ＤＡに接続される第４の側面部と、前記第１の側面部、前記第２の側面部、前記第３の側面部及び前記第４の側面部で形成された開口部を開閉する蓋部とを備え、この蓋部は、第１の蓋部と第２の蓋部を有し、前記第１の蓋部は、前記第１の側面部に接続され、前記第２の蓋部は、前記第３の側面部に接続され、前記第１の側面部に前記正面部の一辺ＡＢに平行であると共に、前記正面部の一辺ＡＢからｈの寸法にあるスジ押し加工した第１の折部が設けられ、前記第１の側面部に前記正面部の一辺ＡＢに平行であると共に、前記正面部の一辺ＡＢからＨ（Ｈ＞ｈ）の寸法にあるスジ押し加工した第１’の折部が設けられ、前記第２の側面部に前記正面部の一辺ＢＣに平行であると共に、前記正面部の一辺ＢＣからｈの寸法にあるスジ押し加工した第２の折部が設けられ、前記第２の側面部に前記正面部の一辺ＢＣに平行であると共に、前記正面部の一辺ＢＣからＨ（Ｈ＞ｈ）の寸法にあるスジ押し加工した第２’の折部が設けられ、前記第３の側面部に前記正面部の一辺ＣＤに平行であると共に、前記正面部の一辺ＣＤからｈの寸法にあるスジ押し加工した第３の折部が設けられ、前記第３の側面部に前記正面部の一辺ＣＤに平行であると共に、前記正面部の一辺ＣＤからＨ（Ｈ＞ｈ）の寸法にあるスジ押し加工した第３’の折部が設けられ、前記第４の側面部に前記正面部の一辺ＤＡに平行であると共に、前記正面部の一辺ＤＡからｈの寸法にあるスジ押し加工した第４の折部が設けられ、前記第４の側面部に前記正面部の一辺ＤＡに平行であると共に、前記正面部の一辺ＤＡからＨ（Ｈ＞ｈ）の寸法にあるスジ押し加工した第４’の折部が設けられ、前記第４の折部の折り目近傍に第１の被係止部、第４の被係止部、前記第４’の折部の折り目近傍に第１’の被係止部、第４’の被係止部が、前記第２の折部の折部の折り目近傍に第２の被係止、第３の被係止部が、前記第２’の折部の折り目近傍に第２’の被係止部、第３’の被係止部が、それぞれ設けられ、前記第１の被係止部又は前記第１’の被係止部に係止する第１の係止部を前記第１の蓋部に、前記第２の被係止部又は前記第２’の被係止部に係止する第２の係止部を前記第１の蓋部に、前記第３の被係止部又は前記第３’の被係止部に係止する第３の係止部を前記第２の蓋部に、前記第４の被係止部又は前記第４’の被係止部に係止する第４の係止部を前記第２の蓋部に、それぞれ設けているものである。
【手続補正３】
【補正対象書類名】明細書
【補正対象項目名】０００８
【補正方法】変更
【補正の内容】
【０００８】
また、請求項３記載の梱包用発送ケースは、請求項１記載の梱包用発送ケースにおいて、第１の側面部に正面部の一辺ＡＢに平行であると共に、前記正面部の一辺ＡＢからＭ（Ｍ＞Ｈ）の寸法にあるスジ押し加工した第１”の折部が設けられ、第２の側面部に正面部の一辺ＢＣに平行であると共に、前記正面部の一辺ＢＣからＭの寸法にあるスジ押し加工した第２”の折部が設けられ、第３の側面部に前記正面部の一辺ＣＤに平行であると共に、前記正面部の一辺ＣＤからＭの寸法にあるスジ押し加工した第３”の折部が設けられ、前記第４の側面部に前記正面部の一辺ＤＡに平行であると共に、前記正面部の一辺ＤＡからＭの寸法にあるミシン加工又はスジ押し加工した第４”の折部が設けられ、第４の折部の折り目近傍に第１”の被係止部と第４”の被係止部が、第２の折部の折り目近傍に第２”の被係止部と第３”の被係止部が、それぞれ設けられ、第１の係止部が第１の被係止部に、第２の係止部が第２の被係止部に、第３の係止部が第３の被係止部に、第４の係止部が第４の被係止部に、それぞれ係止した状態の被梱包体の厚みｈとすれば、前記第１の係止部が前記第１”の被係止部に、前記第２の係止部が前記第２”の被係止部に、前記第３の係止部が前記第３”の被係止部に、前記第４の係止部が前記第４”の被係止部に、それぞれ係止した状態の前記被梱包体の厚みＭとすれば、ｈ＜Ｍの関係にあるものである。